(57)【要約】【課題】枠材の長さ方向端部にまで亘って長尺部材を装着することを許容し、かつ、取り付けも簡単なストッパを用いた長尺枠材に装着された長尺部材の端部抜け止め構造を提供する。【解決手段】長尺枠材は、長さ方向に延びるポケット７２を備えており、ポケット７２の内壁には係止孔７７が形成されており、エアタイト８は、ポケット７２に挿入されている挿入部８２を介してポケット７２に対して長さ方向に移動可能に装着されており、ストッパ９は、係止孔７７が形成された内壁に沿って延出するベース９０と、ベース９０の先端に形成した係止片９１と、ベース９０の基端に形成した立ち上り片９２と、を備えており、ストッパ９は、係止片９１が係止孔７７に係止した状態で、立ち上り片９２がポケット７２の長さ方向端部を塞ぐように長尺枠材の端部に当接し、挿入部８２によってベース９が前記内壁から離れる方向の移動を規制する。【選択図】図２
2010265675.tif 000002
【特許請求の範囲】
【請求項１】
ストッパを用いた長尺枠材に装着された長尺部材の端部抜け止め構造であって、
前記長尺枠材は、長さ方向に延びるポケットを備えており、前記ポケットの内壁には係止孔が形成されており、
前記長尺部材は、前記ポケットに挿入されている挿入部を介して前記ポケットに装着されており、
前記ストッパは、前記係止孔が形成された内壁に沿って延出するベースと、前記ベースの先端に形成した係止片と、前記ベースの基端に形成した立ち上り片と、を備えており、
前記ストッパは、前記係止片が前記係止孔に係止した状態で、前記立ち上り片が前記ポケットの長さ方向端部を塞ぐように前記長尺枠材の端部に当接させて前記ポケットの端部からポケット内に差し入れられており、
前記挿入部を、前記ポケット内において、前記ベースに対して前記内壁と反対側の空間に位置させて、前記挿入部によって前記ベースが前記内壁から離れる方向の移動を規制することで、前記係止片と前記係止孔との係止状態が維持されている、
長尺枠材に装着された長尺部材の端部抜け止め構造。
【請求項２】
前記ポケットの内壁は、対向する２つの壁と底壁とからなり、
前記係止孔は前記底壁に形成されている、
請求項１に記載の長尺枠材に装着された長尺部材の端部抜け止め構造。
【発明の詳細な説明】
【技術分野】
【０００１】
本発明は、長尺枠材に装着された長尺部材の端部抜け止め構造に係り、典型的には長尺部材はエアタイト（気密材）である。
【背景技術】
【０００２】
開口部全閉時の気密を保持するため、扉体と開口枠との間にエアタイトを設けることがある。エアタイトは典型的には長尺状のゴム部材であり、開口枠側あるいは扉体側に設けた枠材のポケットに差し込まれる。
【０００３】
エアタイトは枠材のポケット内を長さ方向に移動可能であるため、何らかの抜け止め手段を設けないと、扉体との接触時の摩擦によってエアタイトがポケット内を移動したり、ポケット端部から部分的に抜け出てしまうおそれがある。
【０００４】
従来は、樹脂製のブロックからなるストッパをポケット端部に螺子を用いて固定することでエアタイトの抜け止めを行なっている。図８は上記従来技術を示す図であり、扉体６´の端面に設けた縦枠７´のポケットにエアタイト８´を挿入し、ポケットの上下端部に螺子を用いてストッパ９´を固定することで、エアタイト８´の抜け止めを行なっている。特許文献１にも類似の抜け止め構造が開示されている。
【０００５】
しかしながら、図８に示すようなポケットの端部にストッパを固定するものでは、エアタイトがポケット端部まで入らないという欠点（ポケット端部における気密性が落ちる）や、固定のための締結部品が必要となるという不具合がある。
【０００６】
エアタイトをポケット内に接着するという方法もあるが、この場合には、経年劣化する消耗品であるエアタイトの交換作業が困難であるという欠点がある。
【先行技術文献】
【特許文献】
【０００７】
【特許文献１】実公平７−２７３５１号
【発明の開示】
【発明が解決しようとする課題】
【０００８】
本発明の目的は、枠材の長さ方向端部にまで亘って長尺部材を装着することを許容し、かつ、取り付けも簡単なストッパを用いた長尺枠材に装着された長尺部材の端部抜け止め構造を提供することにある。
【課題を解決するための手段】
【０００９】
本発明が採用した技術手段は、
ストッパを用いた長尺枠材に装着された長尺部材の端部抜け止め構造であって、
前記長尺枠材は、長さ方向に延びるポケットを備えており、前記ポケットの内壁には係止孔が形成されており、
前記長尺部材は、前記ポケットに挿入されている挿入部を介して前記ポケットに装着されており、
前記ストッパは、前記係止孔が形成された内壁に沿って延出するベースと、前記ベースの先端に形成した係止片と、前記ベースの基端に形成した立ち上り片と、を備えており、
前記ストッパは、前記係止片が前記係止孔に係止した状態で、前記立ち上り片が前記ポケットの長さ方向端部を塞ぐように前記長尺枠材の端部に当接させて前記ポケットの端部からポケット内に差し入れられており、
前記挿入部を、前記ポケット内において、前記ベースに対して前記内壁と反対側の空間に位置させて、前記挿入部によって前記ベースが前記内壁から離れる方向の移動を規制することで、前記係止片と前記係止孔との係止状態が維持されている、
長尺枠材に装着された長尺部材の端部抜け止め構造、である。
長尺部材としては、エアタイトのような弾性長尺部材や、樹脂製の長尺部材が例示される。
長尺部材はポケットに対して長さ方向に移動可能であるか、あるいは、ポケットの開口を通して出し入れ可能である。１つの態様では、長尺部材は、前記挿入部がポケット内を長さ方向に移動することで、ポケットに対して長さ方向に移動可能に装着されており、ストッパの装着時に、挿入部をポケット内でスライド移動させることができる。長尺部材がエアタイトのような弾性部材である場合には、ポケットに形成された開口を通して挿入部をポケットから出し入れすることができるので、ストッパの装着時に、挿入部を部分的に長尺部材から引き抜いて、再びポケットに挿入させることができる。
１つの態様では、前記ベースは第１面と第２面を有する板状部であり、第１面は前記係止孔が形成された内壁に面しており、第２面側の空間に長尺部材の挿入部が位置し、第２面は前記挿入部に近接ないし当接している。
【００１０】
１つの態様では、前記ポケットの内壁は、対向する２つの壁と底壁とからなり、前記係止孔は前記底壁に形成されている。
【００１１】
後述する実施形態では、長尺枠材は、開口枠側に設けた横枠であるが、枠材は開口枠側に設けた縦枠、あるいは、扉体側に設けた横枠や縦枠等であってもよい。
【発明の効果】
【００１２】
本発明では、長尺部材の挿入部は、ポケット内において、ベースに対してポケット内壁と反対側の空間に位置して設けられ、ポケットの端部にまで延出させることができ、また、長尺枠材の端部の抜け出しを防止するストッパの立ち上がり片は長尺枠材の端部に外側から当接するので、長尺部材の長さ方向端部を長尺枠材の長さ方向端部に一致させることができる。したがって、長尺部材がエアタイトの場合には、枠材の全長に亘って気密性能を付与することができる。
【００１３】
ポケット端部からストッパをポケット内に差し入れて、ストッパの先端側の係止片を係止孔に係止させ、長尺部材をポケット端部にまでスライド移動させたり、長尺部材の長さ方向端部側の一部をポケットの開口から抜き出して、再び挿入したりするだけで、ストッパの脱落が防止できるので、螺子等を用いてストッパを固定する場合に比べて部品点数が少ない上、ストッパの取り付け作業も簡単である。
【図面の簡単な説明】
【００１４】
【図１】扉閉鎖時における引戸装置の姿図である。
【図２】引戸装置の縦断面図である。
【図３】開口枠の上枠及び横枠を示す図である。
【図４】横枠を示す図である。
【図５】ストッパを示す図である。
【図６】本発明の抜け止め構造の実施形態を示す図である。
【図７】本発明の抜け止め構造の実施形態を示す図である。
【図８】従来の抜け止め構造を示す図である。
【発明を実施するための形態】
【００１５】
本発明の実施形態を図面に基づいて詳細に説明する。図１は扉体全閉時における引戸装置の姿図であって、上枠１、下枠２、戸先側縦枠３、戸尻側縦枠４、とからなる方形枠の戸尻側半部には袖パネル５が設けてあり、戸先側縦枠３と袖パネル５の戸先側端部との間に開口部が形成されており、当該開口部を扉体６が開口幅方向に移動することで開閉する。図２に示すように、上枠１の上方空間内には開口幅方向に延出する吊持レール１Aが設けてあり、扉体６の上端のガイドローラ６Aが吊持レール１A上を転動することで扉体６が左右方向に移動する。
【００１６】
上枠１の戸先側半部には、上枠１に沿って水平方向に延出する横枠７が設けてある。横枠７にはエアタイト８が装着されており、扉体６の室内側見付面６０の上端部位がエアタイト８に接触、摺接するようになっている。横枠７を上枠１に一体形成してもよい。図示の例では、横枠７は螺子７Aを用いて上枠１に連結されているが、横枠を上枠と同一部材から一体形成してもよい。
【００１７】
横枠７は、扉体６の幅寸法と略同じ長さを備えた長尺部材であり、図４に示すように、水平片７０と垂直片７１とから断面視L形状を有しており、水平片７０の先端部には横枠７の全長に亘って延びるポケット７２が形成されている。ポケット７２にはエアタイト８が着脱可能に装着される。
【００１８】
ポケット７２は、離間対向する２つの片、すなわち、下片７３（水平片７０の先端側部位から形成されている）及び上片７４と、下片７３、上片７４の基端部を連結する底片７５と、を備えている。さらに、下片７３、上片７４の先端側には折曲片７３０、７４０がそれぞれ形成されており、折曲片７３０、７４０間には長さ方向に延びる開口７６が形成されている。底片７５には、戸尻側端部に近い部位に係止孔７７が形成されている。ポケット７２を構成する２つの対向片の呼び方は、ポケットが設けられる枠材の姿勢によって異なり、例えば、図７に示す姿勢では、対向する上下片に代えて、対向する側片と呼ぶことができる。
【００１９】
エアタイト８は、ポケット７２と略同じ長さを備えた長尺部材であり、典型的にはゴムから形成されている。エアタイト８は、基片８０と、基片８０に対して斜め立ち上り状に延出する傾斜状の当接片８１とから断面視レ形状を有しており、基片８０の裏面にはポケット７２内に挿入される挿入部８２が突成されている。挿入部８２がポケット７２内に挿入された状態では、基片８０の裏面が折曲片７３０，７４０に当接している（図６参照）。
【００２０】
挿入部８２は、ポケット７２内を長さ方向に摺動可能であると共に、開口７６の幅よりも大きい幅寸法を有することで、開口７６から容易に抜け出ることが防止されている。一方、エアタイト８を脱着して交換する場合には、挿入部８２を弾性変形させることで、開口７６を通して挿入部８２を抜き出すことができる。
【００２１】
横枠７の戸先側端部は戸先側縦枠３に当接しており、横枠７のポケット７２に装着されたエアタイト８の長さ方向の戸先側端部は横枠７の戸先側端部から抜け出ることがない。エアタイト８の戸尻側端部は、ストッパ９を用いることで、横枠７の戸尻側端部からの抜け出しが防止されている。
【００２２】
ストッパ９は、ベース９０と、ベース９０の先端に折曲形成した係止片９１、ベース９０の基端において係止片９１の折曲方向と反対方向に折曲形成された立ち上り片９２と、からなる。図示の態様では、各部分の幅寸法は、立ち上がり片９２の幅＞ベース９０の幅＞係止片９１の幅となっている。
【００２３】
ベース９０は、第１面部９０Aと反対側の第２面部９０Bを備えた肉薄の板状部であり、横枠７の戸尻側端部からポケット７２内に挿入可能な幅寸法を備えており、係止孔７７が形成された底片７５の内面に沿って延出する。第１面部９０Aが底片７５の内面に面している。ベース９０の幅は、対向する側片７３，７４の内面間の寸法、すなわち、底片７５の内面の幅寸法よりも若干小さい寸法となっている。ベース９０の長さ寸法は、横枠７の戸尻側端部から底片７５に形成された係止孔７７までの距離と略同じである。すなわち、ベース９０は、係止片９１が係止孔７７に係止した状態で、立ち上り片９２が横枠７の戸尻側端部に当接するような長さ寸法を備えている。
【００２４】
立ち上り片９２はポケット７２の端部を塞ぐような高さ寸法・横幅寸法を有しており、係止片９１が係止孔７７に係止した状態で、立ち上り片９２が横枠７及びエアタイト８の戸尻側端部に外側から当接してポケット７２の戸尻側端部を塞ぐ。ここで、立ち上がり片９２は、必ずしもポケット７２の戸尻側端部を完全に塞ぐ必要はなく、エアタイト８の端部に当接して当該端部の抜け出しを防止するストッパとして機能するものであれば、ポケット７２を部分的に塞ぐものでもよい。
【００２５】
図６に示すように、ストッパ９は、係止片９１がポケット７２の底片７５の係止孔７７に係止し、立ち上り片９２がエアタイト８の長さ方向端部に当接してポケット７２の長さ方向端部を塞いだ状態において、ポケット７２内において、ベース９０に対してポケット内壁（底片７５）と反対側の空間、すなわち第２面部９０B側の空間、にはエアタイト８の挿入部８２が位置しており、挿入部８２によってベース９０がポケット内壁（底片７５）から離れる方向の移動が規制されている。係止片９１と係止孔７７との係止状態が維持される範囲において、ベース９０が僅かに底片７５から離れる程度の移動は許容される。ベース９０はエアタイト８の挿入部８２によって底片７５にガタが生じない程度に軽く押し付けられていてもよい。したがって、ストッパ９が横枠７の戸尻側端部から外れる方向の移動は、ストッパ９の係止片９１がポケット７２の底片７５の係止孔７７に係止することで規制され、係止片９１が係止孔７７から脱する方向の移動は、ポケット７２内に位置するエアタイト８の挿入部８２によって規制されており、ストッパ９の立ち上がり片９２はエアタイト８の端部の抜け止め片として機能する。
【００２６】
ストッパ９の装着手順について図６に基づいて説明する。エアタイト８の戸尻側端部をポケット７２の戸尻側端部から離間する方向に係止孔７７を越えてスライド移動させた状態、あるいは、エアタイト８の挿入部８２の戸尻側部位を部分的に開口７６から引き抜いた状態で、ポケット７２の戸尻側端部からポケット７２内にストッパ９を差し入れて、ストッパ９の先端側の係止片９１を係止孔７７に係止させる。この時、ストッパ９の基端側の立ち上がり片９２は横枠７（ポケット７２）の戸尻側端部に外側から当接する。
【００２７】
次いで、ポケット７２内に位置するエアタイト８の挿入部８２を戸尻側端部にまで移動させたり、あるいは、引き抜いたエアタイト８の挿入部８２を開口７６からポケット７２に挿入したりすることで、挿入部８２を、ベース９０に対してポケット内壁（底片７５）と反対側の空間に位置させて、挿入部８２によってベース９がポケット内壁（底片７５）から離れる方向の移動を規制し、エアタイト８（挿入部８２）の戸尻側端部をストッパ９の立ち上がり片９２に当接させる。
【００２８】
このように、本実施形態に係る抜け止め構造を提供するには、ポケット７２の戸尻側端部からポケット７２内にストッパ９を差し入れて係止片９１を係止孔７７に係止させ、エアタイト８の戸尻側端部をポケット７２の戸尻側端部にまでスライド移動させるだけでよいので、螺子等を用いてストッパを固定する場合に比べて部品点数が少ない上、ストッパ９の取り付け作業も簡単である。また、ストッパ９を用意すると共に、底片７５の所定部位（ポケット７２内に差し込まれたストッパ９の係止片９１が係止する位置）に係止孔７７を形成するだけで、既設の部材に抜け止め構造を後付けすることができる。
【００２９】
実施形態では、開口枠の上枠１に設けた横枠７に対するエアタイト８の装着について説明したが、本発明に係る長尺枠材に装着されたエアタイトの端部抜け止め構造は、開口枠側に設けた縦枠に装着されたエアタイトの端部抜け止め構造、あるいは、扉体側に設けた横枠や縦枠に装着されたエアタイトの端部抜け止め構造に適用し得ることが当業者に理解される。
【産業上の利用可能性】
【００３０】
本発明は、長尺枠材に装着されたエアタイトの端部抜け止め構造に用いることができる。
【符号の説明】
【００３１】
７  横枠
７２  ポケット
７５  底片
７７  係止孔
８  エアタイト
８０  基片
８１  当接片
８２  挿入部
９  ストッパ
９０  ベース
９１  係止片
９２  立ち上がり片
【図１】
2010265675.tif 000003
【図２】
2010265675.tif 000004
【図３】
2010265675.tif 000005
【図４】
2010265675.tif 000006
【図５】
2010265675.tif 000007
【図６】
2010265675.tif 000008
【図７】
2010265675.tif 000009
【図８】
2010265675.tif 000010